【手続補正書】
【提出日】平成17年7月6日(2005.7.6)
【手続補正１】
【補正対象書類名】明細書
【補正対象項目名】特許請求の範囲
【補正方法】変更
【補正の内容】
【特許請求の範囲】
【請求項１】  有効量の精製された硫化ヒ素化合物、および薬学的に許容できる担体または賦形剤を含有する、哺乳動物における血液の癌の治療に有効な薬学的組成物。
【請求項２】  有効量の硫化ヒ素化合物を含有する、ヒトへの経口的送達に適した、薬学的組成物。
【請求項３】  前記哺乳動物がヒトである、請求項１記載の薬学的組成物。
【請求項４】  前記硫化ヒ素化合物が、Ａｓ2Ｓ2、Ａｓ2Ｓ3、Ａｓ2Ｓ5、およびＡｓ4Ｓ4からなる群より選択される、請求項１記載の薬学的組成物。
【請求項５】  前記硫化ヒ素化合物がＡｓ4Ｓ4である、請求項４記載の薬学的組成物。
【請求項６】  前記硫化ヒ素化合物の量が約１００mg〜約２ｇである、請求項１記載の薬学的組成物。
【請求項７】  前記薬学的に許容できる担体がプラティクラディの種子を含む、請求項２記載の薬学的組成物。
【請求項８】  有効量のヒ素含有化合物をさらに含み、前記硫化ヒ素化合物と該ヒ素含有化合物が同一ではなく、該ヒ素含有化合物が、Ａｓ2Ｓ2、Ａｓ2Ｓ3、Ａｓ2Ｓ5、Ａｓ4Ｓ4およびＡｓ2Ｏ3からなる群より選択される、請求項１記載の薬学的組成物。
【請求項９】  マスタード化合物、ナイトロジェンマスタード、クロラムブシル、メルファラン、シクロホスファミド、ブスルファン、６−メルカプトプリン、６−チオグアニン、シタラビン、シトシンアラビノシド、５−フルオロウラシル、フロクスウリジン、メトトレキサート、ビンクリスチン、ビンブラスチン、タクソール、エトポシド、テミポシド、デクチノマイシン、ダウノルビシン、ドキソルビシン、エピルビシン、ミトザントロン、ブレオマイシン、マイトマイシン、シスプラチン、カルボプラチン、エストラムスチンリン酸、ヒドロキシ尿素、ＢＣＮＵ、プロカルバジン、ＶＭ−２６（ブーモン）、インターフェロン、および全−トランスレチノイン酸からなる群より選択される有効量の治療薬をさらに含有する、請求項１記載の薬学的組成物。
【請求項１０】  有効量の硫化ヒ素化合物および薬学的に許容できる担体または賦形剤を含む、哺乳動物における血液の癌の治療に有用な薬学的組成物。
【請求項１１】  硫化ヒ素化合物を含む、哺乳動物における血液の癌の治療に有用な薬学的組成物。
【請求項１２】  薬学的に許容できる担体または賦形剤をさらに含有する、請求項１１記載の薬学的組成物。
【請求項１３】  急性リンパ芽球性白血病（ＡＬＬ）、急性リンパ芽球性Ｂ−細胞型白血病、急性リンパ芽球Ｔ−細胞型白血病、急性非リンパ芽球性白血病（ＡＮＬＬ）、急性骨髄芽球性白血病（ＡＭＬ）、急性前骨髄球性白血病（ＡＰＬ）、急性単球性白血病、急性赤白血病性白血病、急性巨核芽球性白血病、慢性骨髄球性白血病（ＣＭＬ）、慢性リンパ球性白血病（ＣＬＬ）、多発性骨髄腫、芽球の過剰を伴った不応性貧血（ＲＡＥＢ）および白血病へ転換するＲＡＥＢ（ＲＡＥＢ−Ｔ）などの脊髄異形成症候群（ＭＤＳ）、ならびに慢性骨髄単球性白血病（ＣＭＭＬ）からなる群より選択される血液の癌の治療のための、請求項１１記載の薬学的組成物。
【請求項１４】  急性前骨髄球性白血病（ＡＰＬ）の治療のための、請求項１３記載の薬学的組成物。
【請求項１５】  慢性骨髄球性白血病または慢性骨髄性白血病（ＣＭＬ）の治療のための、請求項１３記載の薬学的組成物。
【請求項１６】  慢性リンパ球性白血病（ＣＬＬ）の治療のための、請求項１３記載の薬学的組成物。
【請求項１７】  多発性骨髄腫の治療のための、請求項１３記載の薬学的組成物。
【請求項１８】  高悪性度リンパ腫、中悪性度リンパ腫または低悪性度リンパ腫の治療のための、請求項１１記載の薬学的組成物。
【請求項１９】  非ホジキンリンパ腫の治療のための、請求項１１記載の薬学的組成物。
【請求項２０】  前記薬学的組成物を調製するために使用される硫化ヒ素化合物が、Ａｓ2Ｓ2、Ａｓ2Ｓ3、Ａｓ2Ｓ5、およびＡｓ4Ｓ4からなる群より選択される、請求項１１記載の薬学的組成物。
【請求項２１】  前記薬学的組成物を調製するために使用される硫化ヒ素化合物がＡｓ4Ｓ4である、請求項２０記載の薬学的組成物。
【請求項２２】  前記薬学的組成物を調製するために使用される硫化ヒ素化合物の量が約１００mg〜約２ｇである、請求項１１記載の薬学的組成物。
【請求項２３】  硫化ヒ素化合物およびヒ素含有化合物を含む、ヒトにおける血液の癌の治療のための薬学的組成物であって、該硫化ヒ素化合物が、Ａｓ2Ｓ2、Ａｓ2Ｓ3、Ａｓ2Ｓ5、およびＡｓ4Ｓ4から選択され、該ヒ素含有化合物が、Ａｓ2Ｏ3である、前記組成物。
【請求項２４】  薬学的に許容できる担体または賦形剤をさらに含有する、請求項２３記載の薬学的組成物。
【請求項２５】  急性リンパ芽球性白血病（ＡＬＬ）、急性リンパ芽球性Ｂ−細胞型白血病、急性リンパ芽球Ｔ−細胞型白血病、急性非リンパ芽球性白血病（ＡＮＬＬ）、急性骨髄芽球性白血病（ＡＭＬ）、急性前骨髄球性白血病（ＡＰＬ）、急性単球性白血病、急性赤白血病性白血病、急性巨核芽球性白血病、慢性骨髄球性白血病（ＣＭＬ）、慢性リンパ球性白血病（ＣＬＬ）、多発性骨髄腫、芽球の過剰を伴った不応性貧血（ＲＡＥＢ）および白血病へ転換するＲＡＥＢ（ＲＡＥＢ−Ｔ）などの脊髄異形成症候群（ＭＤＳ）、ならびに慢性骨髄単球性白血病（ＣＭＭＬ）からなる群より選択される血液の癌の治療のための、請求項２３記載の薬学的組成物。
【請求項２６】  急性前骨髄球性白血病（ＡＰＬ）の治療のための、請求項２５記載の薬学的組成物。
【請求項２７】  慢性骨髄球性白血病または慢性骨髄性白血病（ＣＭＬ）の治療のための、請求項２５記載の薬学的組成物。
【請求項２８】  慢性リンパ球性白血病（ＣＬＬ）の治療のための、請求項２５記載の薬学的組成物。
【請求項２９】  多発性骨髄腫の治療のための、請求項２５記載の薬学的組成物。
【請求項３０】  高悪性度リンパ腫、中悪性度リンパ腫および低悪性度リンパ腫からなる群より選択される前記癌の治療のための、請求項２５記載の薬学的組成物。
【請求項３１】  非ホジキンリンパ腫の治療のための、請求項２５記載の薬学的組成物。
【請求項３２】  前記硫化ヒ素化合物が、Ａｓ4Ｓ4である、請求項１１記載の薬学的組成物。
【請求項３３】  以下の段階を含む、Ａｓ4Ｓ4が実質的に三酸化ヒ素（Ａｓ2Ｏ3）を含有しない二硫化ヒ素（Ａｓ4Ｓ4）の製造法：
（ａ）pHが約６〜７である水溶液中に鶏冠石を懸濁する段階；
（ｂ）鶏冠石懸濁液のpHを、pH約４〜４．５に調製する段階；
（ｃ）得られる上清をデカントし、残留する沈降物を、pH約４〜４．５の溶液中に再懸濁する段階；
（ｄ）段階（ｃ）を、該上清のヒ素濃度が２０mg／Ｌ未満になるまで繰り返す段階；
（ｅ）段階（ｄ）の残留する沈降物を、pH約６〜７の水溶液で洗浄する段階；および
（ｆ）該粉末を非酸化条件下で乾燥する段階。
【請求項３４】  前記段階（ａ）および（ｅ）において使用した水溶液が、脱イオン化し２回蒸留した水である、請求項３３記載の方法。
【請求項３５】  前記段階（ｃ）で使用した溶液が、塩酸または酢酸溶液である、請求項３３記載の方法。
【請求項３６】  請求項３３記載の方法によって製造された二硫化ヒ素。
【請求項３７】  前記薬学的組成物が、０．１５％未満の三酸化ヒ素を含む、請求項１記載の薬学的組成物。
【請求項３８】  前記薬学的組成物が、０．１％未満の三酸化ヒ素を含む、請求項１記載の薬学的組成物。